(57)【特許請求の範囲】
【請求項１】
給湯機を含む複数機器の運転状態や設定条件を表示する表示部と、給湯機を含む複数機器の内どの機器の運転状態や設定条件を表示するかを選択する選択スイッチや、各種の運転指示を行う各スイッチを備えた操作部とを設けたリモコン装置で、伝言を記憶しこれを再生する伝言スイッチを備えると共に、記憶された伝言の重要度のレベルを選択する選択手段を備え、伝言が記憶され、前記選択手段で選択された重要度のレベルが高く設定されている状態で機器の使用を検知すると、伝言の自動再生或いは伝言有りを音声で報知するようにし、更に、前記重要度のレベルがかなり高い時には、機器の使用時の前記伝言の自動再生或いは伝言有りの音声報知を繰り返し行うようにした事を特徴とするリモコン装置。
【発明の詳細な説明】
【技術分野】
【０００１】
この発明は、情報を表示する情報端末で、特に給湯機の制御のためのリモコン装置に関するものである。
【背景技術】
【０００２】
従来よりこの種のリモコン装置では、給湯機の操作や表示の他に他の機器である浴室暖房機の制御も行うことで、使用者がわざわざ浴室まで行って操作する手間を省き、操作性の向上を図るものであり、給湯機使用状態では他の機器の表示状態でも、決められた位置にその旨を表示するものであった。（例えば、特許文献１参照）
【特許文献１】特開２００３−１６３９８０号公報
【発明の開示】
【発明が解決しようとする課題】
【０００３】
ところでこの従来のものでは、複数機器で１台のリモコンを共同で使用するために、画面の特定部分でメイン表示の妨げにならない位置に、回覧情報や給湯温度等、給湯機の運転状態が文字により表示されているが、しかし、あくまでサブ的な文字による表示の為、リモコン装置を見ても直感的に状態を判断することが出来ず、リモコン装置の近くまで行かないと表示されている回覧情報や運転内容を確認出来ないと言う不具合を有し、極めて使用勝手が悪いものであった。
【課題を解決するための手段】
【０００４】
この発明はこの点に着目し、上記欠点を解決する為、特に請求項１ではその構成を、給湯機を含む複数機器の運転状態や設定条件を表示する表示部と、給湯機を含む複数機器の内どの機器の運転状態や設定条件を表示するかを選択する選択スイッチや、各種の運転指示を行う各スイッチを備えた操作部とを設けたリモコン装置で、伝言を記憶しこれを再生する伝言スイッチを備えると共に、記憶された伝言の重要度のレベルを選択する選択手段を備え、伝言が記憶され、前記選択手段で選択された重要度のレベルが高く設定されている状態で機器の使用を検知すると、伝言の自動再生或いは伝言有りを音声で報知するようにし、更に、前記重要度のレベルがかなり高い時には、機器の使用時の前記伝言の自動再生或いは伝言有りの音声報知を繰り返し行うようにしたものである。
【発明の効果】
【０００６】
この請求項１の発明によれば、伝言が記憶され、選択手段で選択された重要度のレベルが高く設定されている状態で、機器が使用されれば、自動再生で伝言自体を聞かせたり、伝言有りをリモコン装置からの音声で知らせて、伝言を確実に聞くようにさせることが出来、更に、重要度がもう一段高いものでは、機器使用時の伝言の自動再生或いは伝言有りの音声報知を繰り返し行うようにしたことで、確実性が高まり、重要な伝言を聞き逃す心配がなく、安心して使用出来るものである。
【発明を実施するための最良の形態】
【０００８】
次にこの発明の一実施形態のリモコン装置を図面に基づき説明する。
１はヒートポンプ式の給湯機２及び室の暖房装置３を制御するリコモン装置で、液晶ディスプレーから成るタッチパネル方式の表示部４と、該表示部４の表示内容を変更する操作部５と、各種運転状態を表示する表示ランプ群６と音声等を発する報知機能としてのスピーカ７から構成されている。
【０００９】
前記表示部４には、操作部５の給湯スイッチ８の押圧で、残湯量表示９、給湯温度表示１０や給湯温度を設定するアップ、ダウンスイッチ１１、１２、ふろ自動スイッチ１３等の給湯画面１４が表示され、アップ、ダウンスイッチ１１、１２の操作で給湯温度の変更を行うと共に、ふろ自動スイッチ１３の押圧で給湯機にふろ自動運転を行わせるものである。
【００１０】
又操作部５の暖房スイッチ１５の押圧では、表示部４が暖房画面１６に切り替わり、暖房可能な３室の状態を表示するもので、暖房室表示１７の初期表示は「暖房Ａ」、「暖房Ｂ」、「暖房Ｃ」の文字表示され、この表示の下方に現在状況表示１８を「ＯＮ」、「ＯＦＦ」でそれぞれ表示すると共に、最下方にはそれぞれの入切スイッチ１９が表示され、更に右端にはこの全室の暖房を同時に切状態とする全切スイッチ２０が表示されており、画面背景２１は白色としている。
【００１１】
更に操作部５の生活情報スイッチ２２の押圧では、表示部４が情報画面２３に切り替わり、ネットワーク２４を介して決められたサーバ２５から各種の情報を取り出し可能な画面となり、地域情報の回覧板を取り出して回覧情報を確認するお知らせスイッチ２６、最新のニユースを取り出すニユーススイッチ２７、今日或いは一週間の天気を取り出す天気スイッチ２８、色々な料理のレシピを取り出すレシピスイッチ２９が表示されており、前記の給湯スイッチ８と暖房スイッチ１５、生活情報スイッチ２２で選択スイッチ３０を構成している。
【００１２】
３１は押圧することで浴室リモコン（図示せず）との間でインターホン通話とした通話スイッチ、３２は伝言の記憶及び再生及び消去用の伝言スイッチ、３３は伝言内容の重要度のレベルを選択する選択手段で、押圧することで重要伝言となり、再度押圧でこれが解除され通常の伝言になるものである。
【００１３】
３４は省電力のために表示部４を消灯状態とする表示消灯スイッチ、３５は給湯機側で沸増し運転中を表示する沸増しランプ、３６は使用者へのお知らせ事項があることを表示するお知らせランプ、表示部４が暖房画面１６でなくとも暖房状態の確認ができるように、暖房室Ａランプ３７、暖房室Ｂランプ３８、暖房室Ｃランプ３９がそれぞれ備えられている。
【００１４】
次に請求項１に対する一実施形態を示すリモコン装置１の作動について図４のフローチャートで説明する。
ステップ４０でリモコン装置１に電源が入り運転が開始され、ステップ４１に進み伝言メモを記録し、そしてステップ４２で給湯使用を判断して、ＹＥＳでステップ４３に進み伝言メモを自動再生又は音声・画面表示で使用者へ告知し、ステップ４４で終了するものである。
【００１５】
このように伝言メモが記録されていることを条件に、給湯機等の機器が運転を開始すると、その傍には人が居る可能性が高いので、自動再生で伝言自体を聞かせたり、伝言有りをリモコン装置からの音声や表示で知らせて、伝言を確実に聞くようにさせるものであり、重要な伝言を聞き逃す心配がなく、安心して使用出来るものである。
【００１６】
次に請求項２に対する一実施形態を示すリモコン装置１の作動について図５のフローチャートで説明するが、図４と同一部分には同一符号を付し、相違部分のみ説明する。
ステップ４０で運転が開始され、ステップ４１に進み伝言メモを記録し、そしてステップ４５で重要度のレベルを選択し記録して、ステップ４６で重要度のレベルに応じた表示色や表示方法にて「伝言あり」の旨を告知する。
【００１７】
即ち、伝言メモの重要度が高い時には、伝言ありの文字表示を赤色としてり、赤色の点滅、文字自体を大きくしたり、この大きな文字を点滅させたり、音声報知を大きなボリュームで行ったりと色々な方法が考えられるものであり、告知後はステップ４４で終了するものである。
【００１８】
これにより、伝言の重要度が高い伝言程分かり易く緊急度のある表示となるので、重要度が高く早く聞く必要がある伝言のありを、他の伝言より早く見つけることが出来、重要な伝言を聞き逃す心配がなく、常に確実に伝言を伝えることが出来るものである。
【００１９】
次に請求項１、２を組み合わせた一実施形態を示すリモコン装置１の作動について図６のフローチャートで説明するが、図４、５と同一部分には同一符号を付し、相違部分のみ説明する。
【００２０】
ステップ４０で運転が開始され、ステップ４７に進み伝言メモ及び重要度を記録し、ステップ４８で重要度レベルが高く設定されているかを判断し、ＹＥＳでステップ４２に進み給湯使用ありの判断を行い、給湯ありでＹＥＳの時にはステップ４３で伝言メモを自動再生又は音声・画面表示で使用者へ告知し、更にステップ４９に進んで重要度レベルがもう一段高いかを判断し、高い時にはＹＥＳでステップ４２に戻り、同じステップを繰り返すものであり、ステップ４８及び４９で重要度レベルが高くない時は、ＮＯでステップ４４に進んで終了するものである。
【００２１】
これにより、重要な伝言メモが残されていることを給湯機等の機器の使用時に告知するので、確実に伝わり忘れる心配がなく、確実に伝えることが出来て安心して使用出来るものであり、更に重要度がもう一段高いものでは、この機器使用時の告知を繰り返し行うようにしたことで、確実性が高まり使用勝手が良いものである。
【図面の簡単な説明】
【００２２】
【図１】この発明一実施形態のリモコン装置を示すシステム図。
【図２】同リモコン装置の概略説明図。
【図３】同表示画面の説明図。
【図４】同一実施形態のフローチャート。
【図５】他の一実施形態のフローチャート。
【図６】更に他の一実施形態のフローチャート。
【符号の説明】
【００２３】
１  リモコン装置
４  表示部
５  操作部
７  スピーカ
３０  選択スイッチ
３２  伝言スイッチ
３３  選択手段
【図１】
0004397871.tif 000002
【図２】
0004397871.tif 000003
【図３】
0004397871.tif 000004
【図４】
0004397871.tif 000005
【図５】
0004397871.tif 000006
【図６】
0004397871.tif 000007